(57)【要約】【課題】ホース内が結露するおそれを減らすことができる空気調和機の提供。【解決手段】空気調和機１は、加湿ユニット５０と、制御部６０とを備える。加湿ユニット５０は、加湿空気を生成可能であり、接続されている吸排気ホース６を介して加湿空気を室内に供給可能である。制御部６０は、加湿給気動作とホース乾燥動作とが実行されるように、加湿ユニット５０を制御する。加湿給気動作とは、加湿ユニット５０において生成した加湿空気を室内に供給する動作のことである。また、ホース乾燥動作とは、吸排気ホース６内を乾燥させるための動作である。また、制御部６０は、暖房運転時に加湿給気動作が行われている場合であって、吸排気ホース６内の湿度が所定の湿度範囲から外れた状態が第１所定時間以上経過した場合に、加湿給気動作からホース乾燥動作に動作を切り換える。【選択図】図２
2010117112.tif 000002
【特許請求の範囲】
【請求項１】
加湿空気を生成可能であり、接続されているホース（６）を介して前記加湿空気を室内に供給可能な加湿ユニット（５０）と、
前記加湿ユニットにおいて生成した前記加湿空気を前記室内に供給する加湿給気動作と前記ホース内を乾燥させるためのホース乾燥動作とが実行されるように、前記加湿ユニットを制御する制御部（６０）と、を備え、
前記制御部は、暖房運転時に前記加湿給気動作が行われている場合であって前記ホース内の湿度が所定の湿度範囲から外れた状態が第１所定時間以上経過した場合に、前記加湿給気動作から前記ホース乾燥動作に動作を切り換える、
空気調和機（１）。
【請求項２】
前記加湿ユニットは、室外空気に含まれる水分を吸着し加熱されることにより吸着した水分を放出する回転可能な吸湿部材（５１）と、前記吸湿部材から水分を脱離させるために前記吸湿部材を加熱するヒータ（５２）とを有し、
前記制御部は、前記加湿給気動作において前記吸湿部材を回転させる制御を行い、前記ホース乾燥動作において前記吸湿部材の回転を停止させる制御を行う、
請求項１に記載の空気調和機。
【請求項３】
前記制御部は、前記加湿給気動作および前記ホース乾燥動作において、前記ヒータを稼働させる制御を行う、
請求項２に記載の空気調和機。
【請求項４】
前記制御部は、前記暖房運転の停止時に前記加湿給気動作が行われている場合であって前記ホース内の湿度が前記湿度範囲から外れた状態が第２所定時間以上経過した場合に、前記加湿給気動作から前記ホース乾燥動作に動作を切り換える、
請求項１から３のいずれかに記載の空気調和機。
【請求項５】
前記制御部は、前記ホース乾燥動作が実行されてから第３所定時間が経過した場合に、前記ホース乾燥動作から前記加湿給気動作に動作を切り換える、
請求項１から４のいずれかに記載の空気調和機。
【発明の詳細な説明】
【技術分野】
【０００１】
本発明は、加湿機能を有する空気調和機に関する。
【背景技術】
【０００２】
従来より、加湿ユニットにおいて加湿空気を生成し、生成した加湿空気をホース等の搬送路を介して室内に供給する空気調和機がある。このような空気調和機では、ホース内に結露が発生することが問題となっていた。
【０００３】
そこで、加湿装置（加湿ユニットに相当）において生成される加湿空気の湿度を調整する湿度調整手段を備えている空気調和機がある（特許文献１参照）。この空気調和機では、湿度調整手段によって湿度を調整された加湿空気が、加湿ダクト（搬送路に相当）を介して室内に供給される。このようにして、この空気調和機では、加湿ダクト内に結露が発生するおそれを減らしている。
【特許文献１】特開２００３−９０５７０号公報
【発明の開示】
【発明が解決しようとする課題】
【０００４】
しかしながら、上述のように、加湿ユニットにおいて生成される加湿空気の湿度を調整する手段を設けていても、室外環境等の要因によって、ホース内に結露が発生するおそれがある。
【０００５】
そこで、本発明の課題は、ホース内が結露するおそれを減らすことができる空気調和機を提供することにある。
【課題を解決するための手段】
【０００６】
第１発明に係る空気調和機は、加湿ユニットと、制御部とを備える。加湿ユニットは、加湿空気を生成可能であり、接続されているホースを介して加湿空気を室内に供給可能である。制御部は、加湿給気動作とホース乾燥動作とが実行されるように、加湿ユニットを制御する。加湿給気動作とは、加湿ユニットにおいて生成した加湿空気を室内に供給する動作のことである。また、ホース乾燥動作とは、ホース内を乾燥させるための動作である。また、制御部は、暖房運転時に加湿給気動作が行われている場合であって、ホース内の湿度が所定の湿度範囲から外れた状態が第１所定時間以上経過した場合に、加湿給気動作からホース乾燥動作に動作を切り換える。
【０００７】
第１発明に係る空気調和機では、暖房運転時に加湿給気動作が行われている場合に、ホース内の湿度が所定の湿度範囲から外れた状態が第１所定時間以上経過すると、加湿給気動作からホース乾燥動作に動作が切り換えられる。このため、例えば、暖房運転時において、ホース内が結露するおそれのある湿度で第１所定時間以上加湿給気動作が行われた場合には、加湿給気動作からホース乾燥動作に動作を切り換えることができる。したがって、ホース内が結露するおそれのある場合には、ホース内を乾燥させることができる。
【０００８】
これによって、ホース内が結露するおそれを減らすことができる。
【０００９】
第２発明に係る空気調和機は、第１発明の空気調和機であって、加湿ユニットは、吸湿部材と、ヒータとを有する。吸湿部材は、回転可能であり、室外空気に含まれる水分を吸着し、加熱されることにより吸着した水分を放出する。ヒータは、吸湿部材から水分を脱離させるために吸湿部材を加熱する。また、制御部は、加湿給気動作において吸湿部材を回転させる制御を行い、ホース乾燥動作において吸湿部材の回転を停止させる制御を行う。
【００１０】
第２発明に係る空気調和機では、ホース乾燥動作において、吸湿部材の回転が停止されている。このため、吸湿部材から水分を放出させ難くすることができる。
【００１１】
これによって、ホース内を短時間で乾燥させることができる。
【００１２】
第３発明に係る空気調和機は、第２発明の空気調和機であって、制御部は、加湿給気動作およびホース乾燥動作において、ヒータを稼働させる制御を行う。このため、加湿給気動作時には吸湿部材から水分を放出させることができ、ホース乾燥動作時には吸湿部材を乾燥させやすくすることができる。
【００１３】
これによって、ホース内を乾燥させやすくすることができる。
【００１４】
第４発明に係る空気調和機は、第１発明から第３発明のいずれかの空気調和機であって、制御部は、暖房運転の停止時に加湿給気動作が行われている場合であって、ホース内の湿度が所定の湿度範囲から外れた状態が第２所定時間以上経過した場合に、加湿給気動作からホース乾燥動作に動作を切り換える。
【００１５】
第４発明に係る空気調和機では、暖房運転の停止時に加湿給気動作が行われている場合に、ホース内の湿度が所定の湿度範囲から外れた状態が第２所定時間以上経過すると、加湿給気動作からホース乾燥動作に動作が切り換えられる。このため、例えば、暖房運転時でなくても、ホース内が結露するおそれのある湿度で第２所定時間以上加湿給気動作が行われた場合には、加湿給気動作からホース乾燥動作に動作を切り換えることができる。したがって、ホース内が結露するおそれのある場合には、ホース内を乾燥させることができる。
【００１６】
これによって、ホース内が結露するおそれを減らすことができる。
【００１７】
第５発明に係る空気調和機は、第１発明から第４発明のいずれかの空気調和機であって、制御部は、ホース乾燥動作が実行されてから第３所定時間が経過した場合に、ホース乾燥動作から加湿給気動作に動作を切り換える。このため、この空気調和機では、ホース乾燥動作が実行された場合でも、加湿給気動作に動作を切り換えることができる。
【００１８】
これによって、室内に加湿空気を供給することができる。
【発明の効果】
【００１９】
第１発明に係る空気調和機では、ホース内が結露するおそれを減らすことができる。
【００２０】
第２発明に係る空気調和機では、ホース内を短時間で乾燥させることができる。
【００２１】
第３発明に係る空気調和機では、ホース内を乾燥させやすくすることができる。
【００２２】
第４発明に係る空気調和機では、ホース内が結露するおそれを減らすことができる。
【００２３】
第５発明に係る空気調和機では、室内に加湿空気を供給することができる。
【発明を実施するための最良の形態】
【００２４】
本発明の一実施形態に係る空気調和機１は、図１および図２に示すように、室外機３と、室内機２とを備えている。また、この空気調和機１は、冷房運転、暖房運転、暖房加湿運転、加湿運転および排気運転等を行うことが可能である。また、室外機３は、室外熱交換器２４や室外ファン２９などを内部に収容する室外空調ユニット２０と、加湿ユニット５０とを備えている。室内機２の内部には室内熱交換器１１が収容されている。また、加湿ユニット５０と室内機２との間には、加湿ユニット５０の内部空間と室内機２の内部空間と連通させることが可能な吸排気ホース６が設けられている。吸排気ホース６は、一端が加湿ユニット５０の後述する吸排気ダクト５８に接続されており、他端が室内機２の内部に延びている。
【００２５】
＜室内機の構成＞
室内機２は、室内の壁面等に設置される壁掛け型の室内機である。また、室内機２は、図２に示すように、冷媒配管を介して室外機３に接続されている。さらに、室内機２内には、図２に示すように、室内ファン１２および上述の室内熱交換器１１等が収容されている。
【００２６】
室内熱交換器１１は、長手方向両端で複数回折り返されてなる伝熱管と、伝熱管から挿通される複数のフィンとからなり、接触する空気との間で熱交換を行う。また、室内熱交換器１１は、第１室内熱交換器１１ａと第２室内熱交換器１１ｂとから構成されており、第１室内熱交換器１１ａと第２室内熱交換器１１ｂとの間には、室内膨張弁１７が設けられている。
【００２７】
室内ファン１２は、円筒形状に構成され、周面には回転軸方向に羽根が設けられているクロスフローファンである。室内ファン１２は、回転駆動することによって、回転軸と交わる方向に空気流を生成する。室内ファン１２は、室内の空気を室内機２内に吸い込ませるとともに、室内熱交換器１１との間で熱交換を行った後の空気を室内に吹き出させる。
【００２８】
また、吸排気ホース６の端部には開口が設けられており、上述のように吸排気ホース６は室内機２内部に延びている。また、吸排気ホース６の開口は、第１室内熱交換器１１ａおよび第２室内熱交換器１１ｂの表面と対向する位置、すなわち、室内ファン１２が回転し空気流が生成されている状態で、室内機２の上部に設けられている空気取込口２ａの下流側であり、かつ、第１室内熱交換器１１ａおよび第２室内熱交換器１１ｂの上流側の位置に配置されている。このため、吸排気ホース６を通ってきた室外空気は、第１室内熱交換器１１ａおよび第２室内熱交換器１１ｂの表面の一部に吹き出され、第１室内熱交換器１１ａおよび第２室内熱交換器１１ｂを通って熱交換される。また、吸排気ホース６の開口近傍には、吸排気ホース６内の相対湿度を検出可能な湿度センサ９２（図４参照）が配置されている。
【００２９】
また、室内機２に形成されている室内空気吹き出し口２ｂの近傍には、水平フラップ９が設けられている。水平フラップ９は、室内機２の長手方向に長い形状を有する板状の部材であり、室内空気吹き出し口２ｂから吹き出される空気を案内する。水平フラップ９は、室内機２の長手方向に平行な回転軸を有しており、回転軸を中心にフラップモータ９ａ（図４参照）によって回転駆動されることにより、空気の案内方向を変更する。これによって、室内から室内機２内に取り込まれた空気、または、吸排気ホース６を介して室内機２内に供給された室外空気が、熱交換によって調和され、室内空気吹き出し口２ｂを通じて室内に吹き出される。
【００３０】
＜室外機の構成＞
室外機３は、図１および図２に示すように、下部の室外空調ユニット２０と、上部の加湿ユニット５０とから構成されている。
【００３１】
室外空調ユニット２０内には、図２に示すように、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された室外膨張弁２５とが収容されている。室外膨張弁２５は、フィルタ２６および液閉鎖弁２７を介して液冷媒配管に接続されており、この液冷媒配管を介して第１室内熱交換器１１ａの一端と接続されている。また、四路切換弁２２は、室内ガス閉鎖弁２８を介してガス冷媒配管に接続されており、このガス冷媒配管を介して第２室内熱交換器１１ｂの一端と接続されている。
【００３２】
また、加湿ユニット５０は、図２および図３に示すように、室外機３の上部に配置されており、加湿ユニットケーシング７と、加湿ユニット本体５とを備えている。加湿ユニット５０は、室内から取り込まれた空気を室外へと排気したり、室外から取り込まれた室外空気を室内へと供給したりすることができる。また、室外空気を加湿して室内へと供給することもできる。
【００３３】
加湿ユニットケーシング７は、図３に示すように、加湿ロータ５１、加熱装置５２、吸排気ファン５４、吸排気切り換えダンパ５３および吸着用送風装置５５等を収納している。
【００３４】
加湿ユニットケーシング７の前面には、図１、図２および図３に示すように、複数のスリット状の開口からなる吸着用空気吹き出し口７ａが設けられている。また、加湿ユニットケーシング７の背面には、吸着用空気取込口７ｂおよび吸排気口７ｃが設けられている。吸着用空気取込口７ｂは、加湿ロータ５１に水分を吸着させるために室外から取り込まれる空気が通る開口である。吸排気口７ｃは、暖房加湿運転時および加湿運転時に、室外から加湿ユニット５０内に取り込まれ室内機２に送られる空気が通る開口である。また、吸排気口７ｃは、排気運転時に、室内機２から取り込まれ加湿ユニット５０内から室外へと排気される空気が通る開口である。
【００３５】
加湿ユニット本体５は、図２に示すように、室外空気を室内に給気したり室内空気を室外に排気したりすることが可能な吸排気部５６と、室内へ供給される空気を加湿することが可能な加湿部５７とを備えている。吸排気部５６は、主に、吸排気切り換えダンパ５３および吸排気ファン５４を有している。また、加湿部５７は、主に、加湿ロータ５１、加熱装置５２および吸着用送風装置５５を有している。
【００３６】
以下に、吸排気ファン５４、吸排気切り換えダンパ５３、加湿ロータ５１、加熱装置５２、吸着用送風装置５５の順に説明する。
【００３７】
吸排気ファン５４は、加湿ロータ５１の側方に配置されており、室外から取り込まれ室内機２へと送られる空気の流れを生成するラジカルファン組立体である。吸排気ファン５４は、吸排気口７ｃから加湿ロータ５１および吸排気切り換えダンパ５３を経て室内へと到る空気の流れを生成して、室外から取り入れた空気を室内機２へと送る。また、吸排気ファン５４は、室内機２から取り入れた室内の空気を室外へと排出することもできる。なお、吸排気ファン５４は、後述する吸排気切り換えダンパ５３が切り換わることによって、これらの動作を切り換える。また、吸排気ファン５４は、図２に示すように、室外から取り入れた空気を室内機２へと送る場合には、加湿ロータ５１のうちの加熱装置５２と対向する部分を通過した空気を、吸排気切り換えダンパ５３を経て吸排気ダクト５８へと送り出す。吸排気ダクト５８は、吸排気ホース６に接続されているため、吸排気ファン５４は、吸排気ダクト５８および吸排気ホース６を介して室外の空気を室内機２へと供給する。なお、吸排気ホース６を通って室内機２へ送られる空気は、上述のように室内機２内部において室内熱交換器１１の表面に吹き出される。また、吸排気ファン５４は、室内機２から取り入れた室内の空気を室外へと排出する場合には、吸排気ホース６および吸排気ダクト５８を通ってきた室内の空気を吸排気口７ｃから室外へと排出する。
【００３８】
吸排気切り換えダンパ５３は、吸排気ダンパと、吸排気ダンパを回転させるためのダンパ駆動用モータ５３ａ（図４参照）とを含む、回転式の空気流路切換機構である。また、吸排気切り換えダンパ５３は、吸排気ファン５４の下方に配置される。さらに、吸排気切り換えダンパ５３では、ダンパ駆動用モータ５３ａが吸排気ダンパを回転させることで、給気状態と排気状態とが切り換えられる。
【００３９】
給気状態では、吸排気ファン５４が回転することによって、加湿ユニット５０側から室内機２側に向かう空気流が生成される。例えば、吸排気切り換えダンパ５３が給気状態である場合、吸排気ファン５４から吹き出された空気は、吸排気ダクト５８を経て吸排気ホース６を通って室内機２へと供給されるようになる。これにより、給気状態では、図２に示すＡ１方向に空気が流れ、室外の空気が吸排気ホース６を通って室内機２へと供給される。
【００４０】
排気状態では、吸排気ファン５４が回転することによって、室内機２側から加湿ユニット５０側に向かう空気流が生成される。例えば、吸排気切り換えダンパ５３が排気状態である場合、室内機２から取り込まれた室内の空気は、吸排気ホース６を経て吸排気ダクト５８を通って室外へと排気されるようになる。これにより、排気状態では、図２に示すＡ２方向に空気が流れ、室内機２から吸排気ホース６および吸排気ダクト５８を通ってきた空気が、吸排気口７ｃを経て室外へと排気される。
【００４１】
加湿ロータ５１は、ハニカム構造のセラミックロータであり、概ね円盤形状の外形を有している。また、加湿ロータ５１は、回転可能に設けられており、ロータ駆動用モータによって回転駆動される。さらに、加湿ロータ５１の主たる部分は、ゼオライト等の吸着剤から焼成されている。ゼオライト等の吸着剤は、接触する空気中の水分を吸着するとともに、吸着した水分を加熱されることによって脱着するという性質を有している。なお、本実施形態では、吸着剤としてゼオライトを用いているが、シリカゲルやアルミナ等を吸着剤として用いることも可能である。
【００４２】
加熱装置５２は、加湿ロータ５１の上方に位置しており、加湿ロータ５１に対向して配置されている。また、加熱装置５２は、加湿ロータ５１へ送られる空気を加熱することにより、加湿ロータ５１を加熱することができる。
【００４３】
吸着用送風装置５５は、吸着用ファンモータ５９ｂと、吸着用ファンモータ５９ｂによって回転駆動される吸着ファン５９ａとを有し、加湿ロータ５１のうちの加熱装置５２と対向しない部分を通過する空気の流れを生成する。すなわち、吸着用送風装置５５は、吸着用空気吸入口７ｂから吸い込まれ、加湿ロータ５１のうちの加熱装置５２と対向しない部分を通過し、ベルマウス５９ｃの開口を通り、吸着用空気吹き出し口７ａから室外へ排出される空気の流れを生成する。
【００４４】
このような構成によって、加湿部５７では、吸着ファン５９ａを回転駆動させることによって加湿ユニットケーシング７内に取り入れられた室外の空気が、加湿ロータ５１および吸着ファン５９ａを介して、加湿ユニットケーシング７外に排出される。このとき、室外から取り入れられた空気が、加湿ロータ５１の左側略半分の部分を通過する際に、加湿ロータ５１によって空気中に含まれている水分が吸着される。そして、加熱装置５２によって加湿ロータ５１が加熱されることで、吸排気ファン５４によって生成される空気流中に加湿ロータ５１に吸着されていた水分が離脱して加湿空気が生成される。
【００４５】
このため、加湿ユニット５０では、上述のように、吸排気切り換えダンパ５３が給気状態である場合、吸排気ファン５４から吹き出された空気が、吸排気ダクト５８を経て吸排気ホース６を通って室内機２へと供給される。このとき、加湿部５７の加湿ロータ５１および吸着ファン５９ａが回転駆動しており、かつ、加熱装置５２によって加湿ロータ５１が加熱されている場合には、加湿部５７において生成された加湿空気を含む室外空気が、吸排気ホース６を通って室内機２へと供給される。このため、吸排気切り換えダンパ５３が給気状態では、図２に示すＡ１方向に空気が流れ、室外空気が加湿され、または、加湿されずに吸排気ホース６を通って室内機２へと供給されることになる。
【００４６】
また、空気調和機１は、冷房運転、暖房運転、暖房加湿運転、除湿運転、加湿運転、および、排気運転等の各種運転が行われるように、空気調和機１の有する各種機器を制御する制御部６０を備えている。以下に、制御部６０について説明する。
【００４７】
＜制御部＞
制御部６０は、図４に示すように、室内機２、室外空調ユニット２０および加湿ユニット５０の各種機器と接続されており、リモートコントローラ等を介したユーザからの指令に基づいて、冷房運転、暖房運転、暖房加湿運転、除湿運転、加湿運転、および、排気運転等の各運転モードに応じて各種機器の動作制御を行う。また、加湿運転時および暖房加湿運転時に制御部６０によって行われる各種機器の制御動作には、加湿給気動作およびホース乾燥動作が含まれる。さらに、加湿運転時に制御部６０によって行われる各種機器の制御動作には、非加湿給気動作が含まれる。以下に、それぞれの動作について説明する。なお、本実施形態では、暖房加湿運転時に行われる制御動作として非加湿給気動作が含まれていないが、これに限定されず、暖房加湿運転時に行われる制御動作として非加湿給気動作が含まれていてもよい。
【００４８】
加湿給気動作とは、室外空気が加湿されて吸排気ホース６を通って室内機２へと供給されるように、制御部６０によって加湿ユニット５０の有する各種機器が制御される制御動作のことである。加湿給気動作では、制御部６０によって加湿ロータ５１、吸着用送風装置５５が回転駆動され、かつ、加熱装置５２が駆動されることによって積極的に加湿空気が生成されている状態で吸排気ファン５４によって室外空気が室内へと送られる。
【００４９】
非加湿給気動作とは、室外空気が加湿されずに吸排気ホース６を通って室内へと供給されるように、制御部６０によって加湿ユニット５０の有する各種機器が制御される制御動作のことである。非加湿給気動作では、制御部６０によって加湿ロータ５１、吸着用送風装置５５の回転が停止され、かつ、加熱装置５２の駆動が停止されることによって積極的に加湿空気が生成されない状態で吸排気ファン５４によって室外空気が室内へと送られる。
【００５０】
ホース乾燥動作とは、吸排気ホース６内が乾燥するように、制御部６０によって加湿ユニット５０の有する各種機器が制御される動作のことである。ホース乾燥動作では、制御部６０によって加湿ロータ５１および吸着用送風装置５５の回転が停止され、かつ、加熱装置５２が駆動されている状態で吸排気ファン５４によって室外空気が室内へと送られる。
【００５１】
また、制御部６０は、加湿給気動作が行われている場合に、吸排気ホース６内の湿度が所定湿度以上であるか否かを判断する判断部６１を備えている。具体的には、判断部６１は、吸排気ホース６内に設けられている湿度センサ９２によって検出されるホース内相対湿度が所定湿度以上であるか否かを判断する。また、判断部６１による前記判断は、所定時間（例えば、６０秒）毎に行われる。なお、ここでいう所定湿度とは、結露限界相対湿度よりも低い湿度（例えば、結露限界相対湿度よりも１０％低い湿度）のことである。また、結露限界相対湿度とは、吸排気ホース６内に結露が発生しない限界の湿度、すなわち、吸排気ホース６内に結露が発生する湿度のことである。
【００５２】
なお、本実施形態では、所定湿度を結露限界相対湿度よりも低い湿度としているが、これに限定されず、所定湿度が結露限界相対湿度であってもよい。
【００５３】
また、制御部６０は、乾燥タイマ６２を有している。乾燥タイマ６２は、判断部６１によってホース内相対湿度が所定湿度以上であると判断された場合に、カウントが開始（スタート）される。
【００５４】
また、制御部６０は、加湿運転時または暖房加湿運転時において、乾燥タイマ６２のカウントが開始してから第１所定時間（第１所定時間および第２所定時間に相当）が経過するまでホース内相対湿度が所定湿度以上でないという判断が判断部６１によって為されなかった場合、すなわち、ホース内相対湿度が所定湿度以上である状態が第１所定時間続いた場合には、加湿給気動作からホース乾燥動作に動作を切り換える。なお、乾燥タイマ６２のカウントが開始してから第１所定時間が経過（タイムアップ）するまでの間も、判断部６１によってホース内相対湿度が所定湿度以上であるか否かが判断されている。
【００５５】
また、制御部６０は、加湿給気動作からホース乾燥動作に動作が切り換わってから第２所定時間（第３時間所定に相当）が経過すると、ホース乾燥動作から加湿給気動作に動作を切り換える。
【００５６】
次に、空気調和機１の暖房加湿運転および加湿運転における制御部６０の制御動作について説明する。
【００５７】
＜暖房加湿運転＞
以下に、暖房加湿運転を説明する前に、暖房運転時における制御部６０の制御動作について説明する。
【００５８】
制御部６０は、リモートコントローラから暖房運転の開始指令を受けた場合、暖房運転が行われるように、空気調和機１の運転制御を行う。具体的には、制御部６０は、四路切換弁２２が図２の破線で示される状態に接続され、室外膨張弁２５が所定の開度で絞られるように四路切換弁２２および室外膨張弁２５を制御する。そして、制御部６０は、圧縮機２１が駆動するように圧縮機２１を制御することで、冷媒が冷媒回路を循環して室内熱交換器１１が凝縮器として機能する。また、制御部６０は、室内ファン１２が回転するように室内ファン１２を制御することによって、空気取込口２ａから室内機２内に吸い込まれ、室内熱交換器１１を通って、空気吹き出し口２ｂから室内に吹き出される空気の流れが生成される。これによって、空気調和機１において暖房運転を行うことができる。
【００５９】
次に、暖房加湿運転における制御部６０の制御動作について説明する。
【００６０】
暖房加湿運転は、ユーザによって暖房加湿運転の開始指令を受けた場合に行われる運転であって、制御部６０は、上記暖房運転時と同様の制御に加えて、室内に加湿空気が供給されるように加湿ユニット５０を制御する。
【００６１】
以下、暖房加湿運転時における制御部６０による加湿ユニット５０に対する制御動作を、図５を用いて説明する。なお、以下には、暖房加湿運転において加湿給気動作が行われている場合、すなわち、加湿ロータ５１、加熱装置５２、吸排気ファン５４および吸着用送風装置５５が稼働している場合を例として説明する。また、本実施形態において、暖房加湿運転において加湿給気動作が行われていない場合とは、後述するステップＳ７において動作が切り換えられてホース乾燥動作が行われている場合のことである。
【００６２】
暖房加湿運転時に加湿給気動作が行われている場合、所定時間毎に判断部６１によってホース内湿度が所定湿度以上であるか否かが判断される（ステップＳ１およびステップＳ２）。そして、判断部６１によってホース内湿度が所定湿度以上であると判断されると、制御部６０は、乾燥タイマ６２のカウントを開始（スタート）する（ステップＳ３）。そして、乾燥タイマ６２がカウントを開始してから第１所定時間が経過（タイムアップ）するまでの間に判断部６１によってホース内湿度が所定湿度以上でないと判断された場合、制御部６０は、乾燥タイマ６２のカウントをリセットし、加湿給気動作が継続するように加湿ユニット５０の各種機器を制御する（ステップＳ４、ステップＳ５およびステップＳ６）。そして、ステップＳ１に戻り、ステップＳ２において判断部６１によってホース内湿度が所定湿度以上であるか否かが判断される。
【００６３】
また、乾燥タイマ６２がカウントを開始してから第１所定時間が経過（タイムアップ）するまで判断部６１によってホース内湿度が所定湿度以上であると判断され続けた場合、制御部６０は、加湿給気動作からホース乾燥動作に動作を切り換える（ステップＳ７）。
【００６４】
そして、加湿給気動作からホース乾燥動作に動作が切り換わってから第２所定時間が経過すると、制御部６０は、ホース乾燥動作から加湿給気動作に動作を切り換える（ステップＳ８およびステップＳ９）。また、加湿給気動作に切り換わってから所定時間が経過すると、ステップＳ１に戻り、ステップＳ２において判断部６１によってホース内湿度が所定湿度以上であるか否かが判断される。
【００６５】
なお、上記制御が行われている間に、ユーザによって暖房加湿運転停止の制御指令が為された場合には、制御部６０は、暖房加湿運転が停止するように、各種機器を制御する。
【００６６】
このように、暖房加湿運転時において、吸排気ホース６内の相対湿度が所定湿度以上である状態が所定時間以上継続すると、吸排気ホース６内が乾燥するように加湿給動作からホース乾燥動作に動作が切り換えられる。したがって、暖房加湿運転時において、吸排気ホース６内が結露するおそれを減らすことができる。
【００６７】
＜加湿運転＞
加湿運転時には、制御部６０は、上述の暖房加湿運転において暖房運転が行われていない場合の制御、すなわち、上述の暖房加湿運転における加湿ユニット５０に対する制御に加えて、室内ファン１２が回転するように室内ファン１２を制御する。これによって、加湿運転時において、加湿給気動作が行われている場合には加湿空気が室内に供給される。また、加湿運転時において非加湿給気動作が行われている場合にも、制御部６０によって室内ファン１２が回転するように室内ファン１２が制御されることによって、室外空気が室内に供給される。
【００６８】
さらに、加湿運転時に加湿給気動作が行われている場合には、上述の暖房加湿運転時と同様に、所定時間毎に判断部６１によってホース内湿度が所定湿度以上であるか否かが判断され（ステップＳ１およびステップＳ２）、乾燥タイマ６２がカウントを開始してから第１所定時間が経過（タイムアップ）するまで判断部６１によってホース内湿度が所定湿度以上であると判断され続けた場合、加湿給気動作からホース乾燥動作に動作が切り換えられる（ステップＳ７）。このため、加湿運転時においても、暖房加湿運転時と同様に、吸排気ホース６内が結露するおそれを減らすことができる。
【００６９】
＜特徴＞
（１）
上記実施形態では、空気調和機１において、暖房運転時に加湿給気動作が行われている場合、すなわち、暖房加湿運転が行われている時に、ホース内相対湿度が所定湿度以上である状態が第１所定時間続いた場合には、加湿給気動作からホース乾燥動作に動作が切り換えられる。このため、吸排気ホース６内の相対湿度に基づいて、加湿給気動作からホース乾燥動作に動作が切り換えられる。
【００７０】
これによって、吸排気ホース６内が結露するおそれを減らすことができている。
【００７１】
（２）
上記実施形態では、制御部６０は、加湿給気動作において、加湿ロータ５１、吸着用送風装置５５および吸排気ファン５４を駆動し、かつ、加熱装置５２を駆動させている。また、制御部６０は、ホース乾燥動作において、加湿ロータ５１および吸着用送風装置５５の駆動を停止し、かつ、加熱装置５２および吸排気ファン５４を駆動している。すなわち、加湿給気動作からホース乾燥動作に動作が切り換わった場合には、加湿ロータ５１および吸着用送風装置５５の駆動は停止され、加熱装置５２および吸排気ファン５４の駆動は継続されている。このため、ホース乾燥動作では、加湿ロータ５１の駆動が停止されることで加湿ロータ５１から水分を放出させ難くすることができる。したがって、加湿空気の生成を抑制することができる。また、ホース乾燥動作では、加熱装置５２の駆動が継続されることで加湿ロータ５１の乾燥を促すことができるとともに、吸排気ファン５４の駆動が継続されることで、吸排気ホース６内に温度の高い空気を流すことができる。
【００７２】
これによって、吸排気ホース６内を短時間で乾燥させることができる。
【００７３】
（３）
上記実施形態では、暖房加湿運転時だけでなく加湿運転時においても、吸排気ホース６内を乾燥させるためのホース乾燥動作が行われる。このため、加湿運転時においても、吸排気ホース６内が結露するおそれを減らすことができている。
【００７４】
（４）
上記実施形態では、加湿給気動作からホース乾燥動作に動作が切り換わってから第２所定時間が経過すると、ホース乾燥動作から加湿給気動作に動作が切り換えられている。このため、吸排気ホース６内において結露が発生するおそれが低くなると、再び、室内への加湿空気の供給を開始させることができる。
【００７５】
これによって、室内に加湿空気を供給することができる。
【００７６】
（５）
上記実施形態では、吸排気ホース６の一部が室外に配置されている。このため、外気温度が低い場合には、外気温度の影響によって吸排気ホース６の表面温度が下がり、吸排気ホース６内部を流れる空気のうち吸排気ホース６の内壁面近傍を流れる空気が冷やされることがある。このとき、吸排気ホース６の内壁面近傍の空気の相対湿度が１００％に到達した場合、吸排気ホース６内を流れる空気全体の相対湿度が１００％未満であっても、吸排気ホース６内に結露が発生するおそれがある。
【００７７】
そこで、上記実施形態では、判断部６１による判断は、結露限界相対湿度よりも低い湿度で行われる。このため、吸排気ホース６内に結露が発生するおそれを減らすことができている。
【００７８】
＜変形例＞
（Ａ）
上記実施形態では、加湿給気動作が行われている時に、ホース内相対湿度が所定湿度以上である状態が第１所定時間続いた場合には、加湿給気動作からホース乾燥動作に動作が切り換えられる。これに加えて、非加湿給気動作が行われる場合に、判断部によってホース内相対湿度が所定湿度以上であると判断された場合にも、吸排気ホース内が乾燥するように非加湿給気動作からホース乾燥動作に動作が切り換わってもよい。
【００７９】
（Ｂ）
上記実施形態では、判断部６１は、吸排気ホース６内に設けられている湿度センサ９２によって検出されるホース内相対湿度が所定湿度以上であるか否かを判断している。
【００８０】
これに代えて、吸排気ホース内に絶対湿度を検出可能な絶対湿度センサを設け、判断部による判断が吸排気ホース内の絶対湿度に基づいて為されてもよい。
【産業上の利用可能性】
【００８１】
本発明は、加湿空気の流れるホース内が結露するおそれを減らすことができるため、加湿空気の流れるホースを備える空気調和機への適用が有効である。
【図面の簡単な説明】
【００８２】
【図１】本発明の実施形態に係る空気調和機の正面図。
【図２】本発明の実施形態に係る空気調和機の概略冷媒回路図。
【図３】室外機の分解斜視図。
【図４】制御部の制御ブロック図。
【図５】暖房加湿運転時および加湿運転時の制御部による加湿ユニットの制御を示すフローチャート。
【符号の説明】
【００８３】
１      空気調和機
６      吸排気ホース（ホース）
５０      加湿ユニット
５１      加湿ロータ（吸湿部材）
５２      加熱装置（ヒータ）
６０      制御部
【図１】
2010117112.tif 000003
【図２】
2010117112.tif 000004
【図３】
2010117112.tif 000005
【図４】
2010117112.tif 000006
【図５】
2010117112.tif 000007